(57)【要約】【課題】レーザー溶接、接着剤、半田付け等による接合を使うことなく、レンズホルダと光ファイバーホルダを相互に保持しながら調整できる光デバイスを提供することを目的とする。【解決手段】レンズ７を介し、入射する光を光ファイバー１８に集光し或いは光ファイバー１８からの光を平行光にして出射する光デバイス１であり、レンズ７を保持するレンズホルダ１１と、光ファイバー１８を保持する光ファイバーホルダ１３とから構成する。レンズホルダ１１及び光ファイバーホルダ１３の一方は自発磁化が誘起された強磁性体から構成し、他方は強磁性体又は高透磁率常磁性体から構成する。レンズホルダ１１と光ファイバーホルダ１３とが磁力により吸着し、且つ、固定部材で機械的に固定されている。【選択図】図１
2009265461.tif 000002
【特許請求の範囲】
【請求項１】
レンズを介し、入射する光を光ファイバーに集光し或いは光ファイバーからの光を平行光にして出射する光デバイスであって、
レンズを保持するレンズホルダと、
光ファイバーを保持する光ファイバーホルダとを備え、
前記レンズホルダ及び前記光ファイバーホルダの一方は自発磁化が誘起された強磁性体から構成され、他方は強磁性体又は高透磁率常磁性体から構成され、
前記レンズホルダと前記光ファイバーホルダとが磁力により吸着し、且つ、固定部材で機械的に固定されている、
ことを特徴とする光デバイス。
【請求項２】
前記レンズホルダ及び前記光ファイバーホルダの双方とも自発磁化が誘起された強磁性体から構成されていることを特徴とする請求項１に記載の光デバイス。
【請求項３】
レンズを介し、入射する光を光ファイバーに集光し或いは光ファイバーからの光を平行光にして出射する光デバイスであって、
レンズを保持するレンズホルダと、
光ファイバーを保持する光ファイバーホルダと、を備え、
前記レンズホルダ及び前記光ファイバーホルダの双方とも自発磁化が誘起されていない強磁性体又は高透磁率常磁性体から構成され、
前記レンズホルダ及び前記光ファイバーホルダの少なくとも一方に磁力源取付け溝が設けられ、
前記レンズホルダと前記光ファイバーホルダとが固定部材で機械的に固定されている、
ことを特徴とする光デバイス。
【請求項４】
前記レンズホルダ及び前記光ファイバーホルダの一方にネジ穴を設け、他方に前記ネジ穴に対応する貫通孔を設け、
前記貫通孔から挿入されたネジが前記ネジ穴に螺合し、前記レンズホルダと前記光ファイバーホルダが互いに押圧して機械的に固定されていることを特徴とする請求項１から３のいずれか１項に記載の光デバイス。
【請求項５】
前記光ファイバーを保持する貫通穴を開けた球体が前記光ファイバーホルダに回転自在に設置されていることを特徴とする請求項１から４のいずれか１項に記載の光デバイス。
【請求項６】
レンズを介し、入射する光を光ファイバーに集光し或いは光ファイバーからの光を平行光にして出射する光デバイスの組み立て方法であって、
強磁性体又は高透磁率常磁性体から構成され、且つ少なくとも一方は自発磁化が誘起されたレンズホルダと光ファイバーホルダとを準備する工程と、
前記レンズホルダ及び前記光ファイバーホルダの一方にネジ穴を設け、他方に貫通孔を設ける工程と、
前記レンズホルダと前記光ファイバーホルダを磁力により吸着させて固定位置を調節する工程と、
ネジを前記貫通孔から挿入し前記ネジ穴に螺合して前記レンズホルダと前記光ファイバーホルダとを固定する工程と、を備える、
ことを特徴とする光デバイスの組み立て方法。
【請求項７】
レンズを介し、入射する光を光ファイバーに集光し或いは光ファイバーからの光を平行光にして出射する光デバイスの組み立て方法であって、
自発磁化が誘起されていない強磁性体又は高透磁率常磁性体から構成されるレンズホルダ及び光ファイバーホルダを準備する工程と、
前記レンズホルダ及び前記光ファイバーホルダの一方に磁力源取り付け溝を設ける工程と、
前記レンズホルダ及び前記光ファイバーホルダの一方にネジ穴、他方に貫通孔を設ける工程と、
前記磁力源取り付け溝に磁石を取り付けて前記レンズホルダと前記光ファイバーホルダを磁力により吸着させて固定位置を調節する工程と、
ネジを前記貫通孔から挿入し前記ネジ穴に螺合して前記レンズホルダと前記光ファイバーホルダとを固定する工程と、
前記磁石を前記磁力源取り付け溝から取り外す工程と、を備える、
ことを特徴とする光デバイスの組み立て方法。
【発明の詳細な説明】
【技術分野】
【０００１】
本発明は、光ファイバーから出射する光を平行光にし、或いは平行光を集光して光ファイバーに入射する光デバイス及びその組み立て方法に関する。
【背景技術】
【０００２】
半導体レーザーやファイバーレーザ等の光源から出射される光を利用する光通信、レーザー加工、光計測・制御等においては、できるだけ光ファイバー内を伝搬させて空中に平行光を出射させること、或いは外部から光を集光させることが求められる。光源から出射される光を光ファイバー内で伝搬させ、平行光（コリメート光）として空中に出射させるとき、或いは、空中を伝搬する光を光ファイバーに入射させるとき必要になるのが、光コリメータや集光装置等の光デバイスである。
【０００３】
この光デバイスについては種々開発されており（例えば特許文献１）、図６を用いて説明する。光デバイス６は、レンズ１７を保持するレンズホルダ１１と光ファイバー１８を保持する光ファイバーホルダ１３を接合した形態である。
【０００４】
光軸に垂直な面内での両光学素子の相対位置は、レンズ１７を保持するレンズホルダ１１と光ファイバー１８を保持する光ファイバーホルダ１３を組み立てる際の機械精度で定められ、ビームの平行度を精度良く達成するために光軸に沿った方向に関して、割スリーブ２０と光ファイバー１８を内部に保持するフェルール１９の嵌合で光ファイバー１８とレンズ１７の相対位置が調整できるようになっている。
【特許文献１】特開２００５−１５７１０８号公報
【発明の開示】
【発明が解決しようとする課題】
【０００５】
特許文献１に開示された構造において、高精度にコリメート及び集光を行うには光軸に沿った方向での光ファイバー１８端とレンズ間距離をレンズ１７の焦点距離に保った状態で、図６のようにレンズホルダ１１と光ファイバーホルダ１３を光軸に垂直な面内で摺動移動させ、光ファイバー１８端コア部中心位置とレンズ１７中心位置を光ファイバー１８のモードフィールド径（６〜１０μｍ）程度の精度で合致させることが必要となる。
【０００６】
レンズホルダ１１と光ファイバーホルダ１３の位置を決めた後、レーザー溶接、接着剤による接着、或いは半田付け等によって接合を行っているが、接合時に部材、接着剤、或いは半田の融解・固化過程での急激な形状変化及び局所的な体積の膨張や収縮が生じ、調節した最適位置がずれてしまい、結果として、出射光の平行度を精度よく達成することができなかった。
【０００７】
また、剛性の高い高精度位置決めＸＹＺステージ治具を使って位置調整する場合、レンズホルダの接合面と光ファイバーホルダの接合面間の隙間を０．１μｍ以下にするには調整時間がかかるという問題がある。
【０００８】
更に、隙間がない状態に調節できたとしても調整用ステージ治具の剛性が高いので、ステージ治具の摺動移動平面との保持部材接合面の僅かな角度ずれによって、レンズホルダ１１と光ファイバーホルダとの接合面内に局所的な応力が生じてしまう。図７に示すように、この応力によって、ステージ治具で最適位置を調整した後に接着剤等で固定しても、ステージ治具を解放した際にわずかなずれが生じてしまう。
【０００９】
また、この局所的な応力の発生を避けるため、レンズホルダ１１の接合面と光ファイバーホルダ１３の接合面にわずかな隙間をあけて、周囲を接着剤等で固定すると、図８に示すように、接着剤２７の硬化過程で接着剤塗布量のばらつき等により、接着剤２７が局所的に膨張・収縮を起こしてしまい、位置ずれが生じるので、結果的に最適位置に調整した状態が損なわれてしまう。
【００１０】
本発明は、上記事情に鑑みてなされたものであり、レーザー溶接、接着剤、或いは半田付け等による接合を使うことなく、レンズホルダと光ファイバーホルダを相互に保持しながら調整できる光デバイスを提供することを目的とする。
【課題を解決するための手段】
【００１１】
上記目的を達成するために、本発明の第１の観点に係る光デバイスは、レンズを介し、入射する光を光ファイバーに集光し或いは光ファイバーからの光を平行光にして出射する光デバイスであって、レンズを保持するレンズホルダと、光ファイバーを保持する光ファイバーホルダとを備え、前記レンズホルダ及び前記光ファイバーホルダの一方は自発磁化が誘起された強磁性体から構成され、他方は強磁性体又は高透磁率常磁性体から構成され、前記レンズホルダと前記光ファイバーホルダとが磁力により吸着し、且つ、固定部材で機械的に固定されている、ことを特徴とする。
【００１２】
好ましくは、前記レンズホルダ及び前記光ファイバーホルダの双方とも自発磁化が誘起された強磁性体から構成されていることを特徴とする。
【００１３】
本発明の第２の観点に係る光デバイスは、レンズを介し、入射する光を光ファイバーに集光し或いは光ファイバーからの光を平行光にして出射する光デバイスであって、レンズを保持するレンズホルダと、光ファイバーを保持する光ファイバーホルダと、を備え、前記レンズホルダ及び前記光ファイバーホルダの双方とも自発磁化が誘起されていない強磁性体又は高透磁率常磁性体から構成され、前記レンズホルダ及び前記光ファイバーホルダの少なくとも一方に磁力源取付け溝が設けられ、前記レンズホルダと前記光ファイバーホルダとが固定部材で機械的に固定されている、ことを特徴とする。
【００１４】
好ましくは、前記レンズホルダ及び前記光ファイバーホルダの一方にネジ穴を設け、他方に前記ネジ穴に対応する貫通孔を設け、前記貫通孔から挿入されたネジが前記ネジ穴に螺合し、前記レンズホルダと前記光ファイバーホルダが互いに押圧して機械的に固定されていることを特徴とする。
【００１５】
更に好ましくは、前記光ファイバーを保持する貫通穴を開けた球体が前記光ファイバーホルダに回転自在に設置されていることを特徴とする。
【００１６】
本発明の第３の観点に係る光デバイスの組み立て方法は、レンズを介し、入射する光を光ファイバーに集光し或いは光ファイバーからの光を平行光にして出射する光デバイスの組み立て方法であって、一方は自発磁化が誘起された強磁性体から構成され、他方は強磁性体または高透磁率常磁性体から構成されるレンズを保持するレンズホルダと、光ファイバーを保持する光ファイバーホルダと、を準備する行程と、前記レンズホルダおよび光ファイバーホルダの一方にネジ穴、他方に貫通孔を設ける工程と、前記レンズホルダと前記光ファイバーホルダを磁力により吸着させる行程と、ネジを前記貫通孔から挿入し前記ネジ穴に螺合して機械的に固定する行程と、を備えることを特徴とする。
【００１７】
本発明の第４の観点に係る光デバイスの組み立て方法は、レンズを介し、入射する光を光ファイバーに集光し或いは光ファイバーからの光を平行光にして出射する光デバイスの組み立て方法であって、一方に磁力源取り付け溝を設けたレンズを保持するレンズホルダと、光ファイバーを保持する光ファイバーホルダと、を準備する行程と、前記レンズホルダおよび光ファイバーホルダの一方にネジ穴、他方に貫通孔を設ける工程と、前記磁力源取り付け溝に磁石を取り付けて前記レンズホルダと前記光ファイバーホルダを磁力により吸着させる行程と、ネジを前記貫通孔から挿入し前記ネジ穴に螺合して前記レンズホルダと前記光ファイバーホルダとを固定する行程と、前記磁石を前記磁力源取り付け溝から取り外す工程と、を備えることを特徴とする。
【発明の効果】
【００１８】
本発明の光デバイスによれば、レンズホルダと光ファイバーホルダとは磁力によって自力的に吸引力が働き互いに吸着する。そして、レンズホルダと光ファイバーホルダとの最適位置を調節した後、この磁力による吸着状態を保ったままネジ等の固定部材で機械的に固定できる。レーザー溶接、接着剤、或いは半田付け等による接合を使うことなく最適な位置調整ができるとともに、固定時に調節した位置がずれることがないので、調整補助装置等に掛かるコストの削減に加え、光の平行度が高い光デバイスを実現している。
【発明を実施するための最良の形態】
【００１９】
（実施の形態１）
本発明に係る光デバイス及びその組み立て方法の一実施の形態について、図を参照して説明する。図１は、本発明の実施の形態１に係る光デバイス１の構成を示す断面図である。実施の形態１に係る光デバイス１は、主に、レンズ１７と、レンズホルダ１１と、光ファイバー１８と、光ファイバーホルダ１３と、ネジ１６ａ、１６ｂから構成される。
【００２０】
レンズホルダ１１は、外径２６ｍｍの円筒状の形態をしており、中心軸が一致した２段階の直径の貫通穴が開いている。光ファイバーホルダ１３に近い方の貫通穴の直径は４．６ｍｍで、遠い方の貫通穴の直径は６．５２ｍｍとしている。この光ファイバーホルダ１３から遠い方の貫通穴の内周には、環状のゴム等からなるレンズ保持部材１２が組み付けてある。そして、レンズ保持部材１２にレンズ１７が嵌められている。レンズ保持部材１２はその外径の中心軸とレンズ１７の中心軸が一致するように加工してある。なお、レンズ保持部材１２の外径は、レンズホルダ１１の貫通穴に隙間なく嵌合するよう６．５２ｍｍよりもわずかに小さくしてある。
【００２１】
そして、レンズホルダ１１には、中心軸から１１．５ｍｍ離れた位置に締結用Ｍ２ネジのネジ穴１４ａ、１４ｂを２つ設けている。２つのネジ穴１４ａ、１４ｂはレンズホルダ１１中心軸を挟み対象な位置にそれぞれ設けてある。なお、レンズ１７の焦点距離は１５．２９ｍｍのものを用いている。
【００２２】
光ファイバーホルダ１３は、レンズホルダ１１と同様に外径２６ｍｍの円筒形状としており、中心軸が一致した２段階の異なる直径の貫通穴が開けられている。レンズホルダ１１に近い方の貫通穴の直径を８ｍｍ、遠い方の貫通穴の直径を３．２３ｍｍとしている。
【００２３】
レンズホルダ１１から遠い方の貫通穴には、軸方向に沿って貫通した割り溝を有するパイプ状の割スリーブ２０が挿入され、２液混合型高分子接着剤により接着されている。なお、この割スリーブ２０はジルコニア（二酸化ジルコニウム：ＺｒＯ２）からなり、外径は貫通穴の径に合わせ３．２０ｍｍとしている。そして、割スリーブ２０内部にフェルール１９が嵌められている。
【００２４】
割スリーブ２０の内径は、フェルール１９の外径２．４９ｍｍよりもわずかに小さくしており、光ファイバーホルダ１３への接着時にフェルール１９と嵌合するように広げられた状態で接着されている。
【００２５】
フェルール１９は、ニッケルを主な原料とする金属製で、内径２７０μｍの貫通穴があいており、この貫通穴に光ファイバー１８が通してある。光ファイバー１８はコア径３０μｍ、クラッド径２５０μｍの多モードファイバーを用いているが、単一モードファイバーであってもよい。
【００２６】
そして、レンズホルダ１１のネジ穴１４ａ、１４ｂに対応する位置、すなわち光ファイバーホルダ１３の中心軸から１１．４ｍｍ離れた位置に直径２．５ｍｍの貫通穴５ａ、５ｂを設けている。
【００２７】
レンズホルダ１１及び光ファイバーホルダ１３は、強磁性材料を主原料としている。そして、少なくとも一方には自発磁化が誘起されており、レンズホルダ１１及び光ファイバーホルダ１３は磁力により引きつけ合う。例えば、アルニコ磁石、フェライト磁石、ネオジウム磁石、サマリウムコバルト磁石、ＫＳ鋼、ＭＫ鋼、Ｆｅ−Ｃｒ−Ｃｏ磁石、プラセオジウム磁石、又はマンガンアルミ磁石等が使用できる。
【００２８】
また、レンズホルダ１１及び光ファイバーホルダ１３の双方ともに自発磁化が誘起された強磁性材料から構成してもよい。
【００２９】
レンズホルダ１１及び光ファイバーホルダ１３を吸着させた際に、弱い振動等の外力が掛かった場合にずれが生じず、且つ、指で押せば摺動して吸着位置を調節できる程度の磁力とすることが好ましい。例えば、レンズホルダ１１、光ファイバーホルダ１３それぞれの吸着する面の面積を５．１×１０−４ｍ２、面精度Ｒｚ（十点平均粗さ）を６．３とすると、レンズホルダ１１と光ファイバーホルダ１３の接合面間の圧力が１．６〜８．５Ｐａとなるようにしておけば、レンズホルダ１１又は光ファイバーホルダ１３を２．０〜１０．６Ｎの力を作用させて摺動調節でき、且つネジを締める際にもずれることがない。この力は人間が指で加えることができる力である。レンズホルダ１１及び光ファイバーホルダ１３の一方をＳＵＳ４３０から構成した場合、他方は磁力によって８．２〜４３．３Ｎの吸着力を発揮しうる素材から構成することで、上記条件を満たすことができる。
【００３０】
以上のように構成された光デバイス１の組み立て方法について説明する。まず、上記素材から構成されるレンズホルダ１１と光ファイバーホルダ１３を準備する。このレンズホルダ１１及び光ファイバーホルダ１３には、一方に貫通孔１５ａ、１５ｂを、他方には貫通孔１５ａ、１５ｂに対応する位置にネジ穴１４ａ、１４ｂを設けておく。本説明では、レンズホルダ１１にネジ穴１４ａ、１４ｂを、光ファイバーホルダ１３に貫通孔１５ａ、１５ｂを設けた構成について述べる。
そして、レンズ１７と光ファイバー１８の端部を対向させて、レンズホルダ１１と光ファイバーホルダ１３とを吸着させる。少なくとも一方のホルダは自発磁化を誘起した強磁性体からなるので、他方のホルダと自然に引きつけ合う。
【００３１】
そして、レンズホルダ１１或いは光ファイバーホルダ１３を指で押しながら摺動させ、レンズ１７の中心軸と光ファイバー１８の中心軸とが直線状になるように相互の位置を調節する。この状態において、光ファイバーホルダ１３とレンズホルダ１１とは磁力によって吸着し、この状態を維持できるので、外力を加える治具等の調整補助装置を使わなくても、決定した位置がずれて変わることはない。
【００３２】
位置を決めた後、貫通孔１５ａ、１５ｂにそれぞれネジ１６ａ、１６ｂを挿入し、ネジ穴１４ａ、１４ｂに螺合させる。そして、ネジ１６ａ、１６ｂを締めることにより、ネジ１６ａ、１６ｂの頭部が光ファイバーホルダ１３をレンズホルダ１１側へと押圧する。これにより、光ファイバーホルダ１３とレンズホルダ１１の接合面には互いに押圧する力が作用し機械的に固定される。
【００３３】
なお、ネジ１６ａ、１６ｂをネジ穴１４ａ、１４ｂに螺合させ、軽く締めた状態で光ファイバーホルダ１３或いはレンズホルダ１１を摺動させて位置決めを行った後、ネジ１６ａ、１６ｂを増し締めして固定してもよい。貫通孔１５ａ、１５ｂは、ネジ１６ａ、１６ｂの直径よりも若干大きく形成しているから、貫通孔１５ａ、１５ｂとネジ１６ａ、１６ｂとの隙間の範囲で固定位置を調節できる。
【００３４】
光ファイバーホルダ１３とレンズホルダ１１とは磁力によって引きつけ合うことから、ネジ１６ａ、１６ｂで固定する最中に調節した位置がずれて変わることがない。したがって、本発明による光デバイス１は、レンズ１７の中心軸と光ファイバー１８の中心軸が直線状となり、入射光の平行度を精度よく達成することができる。
【００３５】
なお、レンズ１７と光ファイバー１８先端との距離の調節は、割スリーブ２０に嵌合したフェルール１９を押し込んだり引き出したりすることによって行う。これにより、光ファイバー１８の先端をレンズ１７の焦点位置に配置することができる。
【００３６】
このように、レンズホルダ１１と光ファイバーホルダ１３とは自力的に吸引力が働くため、レーザー溶接、接着剤、或いは半田付け等による接合を必要とせず、容易にレンズホルダ１１と光ファイバーホルダ１３の位置調整ができる。これにより、調節補助装置等に掛かるコストを削減できる。
【００３７】
そして、レンズホルダ１１と光ファイバーホルダ１３との位置を調整する際に、レンズホルダ１１と光ファイバーホルダ１３との接合面は磁力により常に吸着した状態に保たれるので、調整の自由度は接合面における摺動移動のみとなる。このため、作業時間、工程数が大幅に減少し、コストの削減になる。
【００３８】
また、レンズホルダ１１と光ファイバーホルダ１３との固定はネジ等による機械的な固定であり、接着剤を用いていない。接着剤使用時の経時的な劣化や、接着剤の硬化過程における形状変化がないため、レンズホルダ１１と光ファイバーホルダ１３との位置ずれが生じず、レンズ１７と光ファイバー１８間の光結合状態が悪化を抑えられる。更に、接着剤を使用した場合、接着層とホルダ間では熱膨張率が著しく異なるので、熱膨張率の差から環境温度変化で位置ずれが生じるが、本発明の光デバイス１ではこのようなずれは起こらない。
【００３９】
また、光デバイス１は、機械的に強固に締結されているため、２００Ｇ以下の外部衝撃に対してもレンズホルダ１１と光ファイバーホルダ１３の位置がずれることないので、耐久性が高く信頼度の高い光デバイス１として様々な環境下において安心して使用することができる。
【００４０】
また、上記説明ではレンズの中心軸と中心軸が直線状になるよう位置調節する場合、すなわち光ファイバーの端面法線が入出射光の光軸と平行である場合について説明したが、これに限定されるものではない。
【００４１】
図２は、光ファイバーの端面が中心軸に対し傾斜している場合の入出射光の方向を示している。コア部８ａとクラッド部８ｂからなる多モードファイバーを例に用いている。例えば、端面法線と光ファイバー８の中心軸のなす角が４°である場合、光ファイバー端面の入出射光の光軸と光ファイバー８の中心軸のなす角は１．８°になる。
【００４２】
それを打ち消すために、図３に示す光デバイス２のように、フェルール１９及び割スリーブ１９の主軸が理想光軸に対して１．８°傾くよう、光ファイバーホルダ１３の貫通穴を１．８°傾けることで対応できる。
【００４３】
また、図４に示すように、光ファイバーの端面法線が光ファイバーの中心軸に対して平行でない場合に、理想光軸に対するフェルール及び割スリーブの主軸の角度を任意に調整できるようにしてもよい。
【００４４】
この光デバイス３の光ファイバーホルダ１３には、直径１２．７ｍｍの金属球２１が入っており、この金属球２１には直径３．２３ｍｍの貫通穴が設けられている。金属球２１はＳＵＳ３０４のステンレス材からなり、この中心はコリメート光の焦点位置にほぼ一致させている。
【００４５】
金属球２１の背後には、それぞれ環状のＣ３６０４（真鍮）からなる押さえリング２２、ステンレスからなる波ワッシャー２３、固定リング２４が順に設けられており、金属球２１は波ワッシャー２３の弾性でレンズホルダ１１側に押さえつけられている。光ファイバーホルダ１３の貫通穴内側と固定リング２４の外周面にはそれぞれ対応する外径ネジＭ１４のネジ溝があり、固定リング２４はこの貫通穴を回転しながら波ワッシャー２３を押さえつける構造である。
【００４６】
この様な構成とし、金属球２１は押さえリング２２に接しながら滑らかに回転できる。そして、金属球２１の回転は、光ファイバーホルダ１３の側面から中心部に向かって光ファイバーホルダ１３の中心軸に関する４回対称位置に開いているＭ３ネジ穴にイモネジを入れ、それを締め付けることで固定できる。
【００４７】
光デバイス３では、金属球２１を自由に回転させることができるので、この金属球２１の中心をレンズ７に焦点距離と合わせてレンズホルダ１１と光ファイバーホルダ１３の位置を調節して組み立てることにより、どのような端面の光ファイバー１８を用いても、入出射光を理想光軸に合わせることができる。
【００４８】
（実施の形態２）
図５は、本発明の実施の形態２に係る光デバイス４の構成を示す断面図である。実施の形態２に係る光デバイス４は、実施の形態１に係る光デバイス１と同様、主に、レンズ１７と、レンズホルダ１１と、光ファイバー１８と、光ファイバーホルダ１３と、ネジ１６ａ、１６ｂから構成される。
【００４９】
実施の形態２に係る光デバイス４のレンズホルダ１１と光ファイバーホルダ１３は、前述の光デバイス１と異なり、いずれも自発磁化が誘起されていない強磁性体又は高透磁率常磁性体で構成されている。例えば、ＳＵＳ４３０等、フェライト系強磁性ステンレス材等を用いることができる。この場合、高透磁率常磁性体は比透磁率が１．０２以上の常磁性体を用いるとよい。比透磁率が１．０２以上であれば、一方のホルダが他方のホルダを引き付け合うようになる。
【００５０】
レンズホルダ１１の外周には、磁力源取付け溝２５ａ、２５ｂが設けられている。磁力源取付け溝２５ａ、２５ｂはレンズホルダ１１の光軸に対して対称な位置に２つ設けてある。磁力源取付け溝２５ａ、２５ｂは寸法９ｍｍ×７ｍｍ×３．５ｍｍ程度のポケット構造をしており、この中に８ｍｍ×８ｍｍ×２ｍｍ程度の寸法の永久磁石や電磁石等の磁力源２６ａ、２６ｂを挿入できるようにしてある。
【００５１】
なお、図５では磁力源取付け溝２５ａ、２５ｂをレンズホルダ１１に設けた場合について示しているが、光ファイバーホルダ１３側に設けてもよい。
【００５２】
続いて、光デバイス４の組み立て方法について説明する。まず、上記素材から構成されるレンズホルダ１１と光ファイバーホルダ１３を準備する。レンズホルダ１１及び光ファイバーホルダ１３には、一方に貫通孔１５ａ、１５ｂを、他方に貫通孔１５ａ、１５ｂに対応する位置にネジ穴１４ａ、１４ｂを設けておく。また、レンズホルダ１１及び光ファイバーホルダ１３の一方に磁力源取付け溝２５ａ、２５ｂを設けておく。本説明では、レンズホルダ１１に磁力源取り付け溝２５ａ、２５ｂ、ネジ穴１４ａ、１４ｂを、光ファイバーホルダ１３に貫通孔１５ａ、１５ｂを設けた構成について述べる。
そして、レンズ１７を設置したレンズホルダ１１の磁力源取付け溝２５ａ、２５ｂに永久磁石等の磁力源２６ａ、２６ｂを設置し、このレンズホルダ１１と光ファイバー１８を設置した光ファイバーホルダ１３を吸着させる。レンズホルダ１１と光ファイバーホルダ１３とが、磁力源２６ａ、２６ｂの磁力により、自然に引きつけ合う。
【００５３】
そして、レンズホルダ１１或いは光ファイバーホルダ１３を指で押しながら摺動させ、相互の位置を調節する。この状態において、光ファイバーホルダ１３とレンズホルダ１１とは磁力源２６ａ、２６ｂによる磁力で吸着しているため、外力を加える治具等の調整補助装置を使う必要がない。
【００５４】
位置決めを行った後、貫通孔１５ａ、１５ｂにそれぞれネジ１６ａ、１６ｂを挿入し、ネジ穴１４ａ、１４ｂに螺合させ、増し締めることにより、ネジ１６ａ、１６ｂの頭部が光ファイバーホルダ１３をレンズホルダ１１側へと押圧する。これにより、光ファイバーホルダ１３とレンズホルダ１１には互いに押圧する力が掛かり固定される。
【００５５】
ファイバーホルダ３とレンズホルダ１１の固定が終わった後は、磁力源２６ａ、２６ｂを磁力源取付け溝２５ａ、２５ｂから取り外せばよい。
【００５６】
他の事項については、実施の形態２の光デバイス１と同様であるため、説明を省略する。
【００５７】
実施の形態２の光デバイス４によれば、磁力源２６ａ、２６ｂはホルダを固定した後に取り外せることから、光デバイス４から強力な磁場はできない。このため、周囲環境に対する処理が不要であり、磁場の影響で誤作動を生じる隣接装置等に対して有効である。
【００５８】
また、種々の強さの永久磁石を用いて磁力を調整できること、或いは電磁石を用いて磁力の強弱を調節できることから、適度な引力でレンズホルダ１１と光ファイバーホルダ１３とが吸着されスムーズな摺動移動による位置の調整が可能な状態と、固定部材で固定する際に調整して最適状態とした位置がずれることのないよう強力な引力で吸着維持させた状態との切り替えができるので、精度の高い光デバイスの組み立てが実現できる。
【図面の簡単な説明】
【００５９】
【図１】本発明の実施の形態１に係る光デバイスの断面図である。
【図２】本発明に用いる光ファイバーの断面図である。
【図３】本発明の実施の形態１に係る光デバイスの断面図である。
【図４】本発明の実施の形態１に係る光デバイスの断面図である。
【図５】本発明の実施の形態２に係る光デバイスの断面図である。
【図６】従来の光デバイスの断面図である。
【図７】従来の光デバイスの断面図である。
【図８】従来の光デバイスの断面図である。
【符号の説明】
【００６０】
１    光デバイス
２    光デバイス
３    光デバイス
４    光デバイス
１１    レンズホルダ
１２    レンズ保持部材
１３    光ファイバーホルダ
１４    ネジ穴
１５    貫通孔
１６    ネジ
１７    レンズ
１８    光ファイバー
１８ａ  コア部
１８ｂ  クラッド部
１９    フェルール
２０    割スリーブ
２１    金属球
２２    押さえリング
２３    波ワッシャー
２４    固定リング
２５    磁力源取付け溝
２６    磁石源
２７    接着剤
【図１】
2009265461.tif 000003
【図２】
2009265461.tif 000004
【図３】
2009265461.tif 000005
【図４】
2009265461.tif 000006
【図５】
2009265461.tif 000007
【図６】
2009265461.tif 000008
【図７】
2009265461.tif 000009
【図８】
2009265461.tif 000010